(57)【要約】【課題】人工芝生によって、太陽光の熱を有効に遮断すると共に、照り返しによる反射熱がこもるのを軽減させるようにする。【解決手段】基盤に、複数の芝生模造葉片が上方突出状に設けられた人工芝生において、  基盤上に、太陽光を反射する太陽光遮断シートが設けられ、芝生模造葉片の上部側が、太陽光遮断シートの開口孔を介して太陽光遮断シートの上方に突出されている。【選択図】図１
2006274674.tif 000002
【特許請求の範囲】
【請求項１】
基盤（２）に、複数の芝生模造葉片（３）が上方突出状に設けられた人工芝生において、
基盤（２）上に、太陽光を反射する太陽光遮断シート（１７）が設けられ、芝生模造葉片（３）の上部側が、太陽光遮断シート（１７）の開口孔（１９）を介して太陽光遮断シート（１７）の上方に突出されていることを特徴とする人工芝生。
【請求項２】
前記太陽光遮断シート（１７）が、アルミ箔シート又はアルミ箔蒸着シートにより構成されていることを特徴とする請求項１に記載の人工芝生。
【請求項３】
前記芝生模造葉片（３）を複数本有する葉片束（４）が複数具備され、各葉片束（４）に、複数本の芝生模造葉片（３）の一部を束ねて固定した根部（５）が設けられ、前記基盤（２）に、下方に没入した根部ポット（６）が複数設けられ、根部ポット（６）に、葉片束（４）の根部（５）が内嵌挿入されて、針部材（７）により基盤（２）に固定され、前記太陽光遮断シート（１７）は、開口孔（１９）を介して、根部ポット（６）から上方突出した葉片束（４）の中途部に外嵌されていることを特徴とする請求項１に記載の人工芝生。
【請求項４】
前記太陽光遮断シート（１７）上に、砂土（２５）が設けられていることを特徴とする請求項１に記載の人工芝生。
【発明の詳細な説明】
【技術分野】
【０００１】
本発明は、ビルの屋上・ベランダ等に敷設して建物内への熱軽減や照り返しによる反射熱を軽減させることを目的とした人工芝生である。
【背景技術】
【０００２】
昨今、地球の温暖化を抑制するために照り返し軽減や冷暖房の費用削減等が問われていることもあり、本発明は、エネルギーを使わず温暖化の抑制に役立たせるものとして、従来より、ａ．ビルの屋上等に天然芝や植栽を施したもの、ｂ．車内の温度抑制にアルミ箔フィルムを簡易設置したもの、ｃ．屋上やベランダに人工芝生を施すようにしたもの（例えば特許文献１、特許文献２）がある。
【特許文献１】特開平８−３３３７０８号公報
【特許文献２】特開平９−４９２０６号公報
【発明の開示】
【発明が解決しようとする課題】
【０００３】
上記ａのものは、管理面上において、毎日の水やりや除草・刈り込みなどの手入れが必要とされ、又、刈り芝や雑草の処分・防虫対策なども必要であるし、水も消費することになる。また、人が踏み付けると、育成が困難になる等の不都合がある。
次にｂのものについては、単に太陽光（紫外線や赤外線）を反射させるものなので、反射された太陽光は、そのまま大気中に返るので照り返しの要因になることや反射光がまぶしい等の不都合がある。
また、ｃのものについては、樹脂製基盤上に芝生模造葉片を叢生したもので、基盤上での日陰は得られるも太陽光（紫外線や赤外線）を遮断するには至らず、温暖化への効果は低いものである。
【０００４】
本発明は上記問題点に鑑み、建物内の照り返し削減などを主目的とし、緑化を兼ね手入れが不要で、かつ、人が踏み付けても影響のない人工芝生によって、太陽光の熱を有効に遮断すると共に、照り返しによる反射熱がこもるのを軽減させるようにしたものである。
【課題を解決するための手段】
【０００５】
この技術的課題を解決するための本発明の技術的手段は、基盤に、複数の芝生模造葉片が上方突出状に設けられた人工芝生において、
基盤上に、太陽光を反射する太陽光遮断シートが設けられ、芝生模造葉片の上部側が、太陽光遮断シートの開口孔を介して太陽光遮断シートの上方に突出されている点にある。
また、本発明の他の技術的手段は、前記太陽光遮断シートが、アルミ箔シート又はアルミ箔蒸着シートにより構成されている点にある。
また、本発明の他の技術的手段は、前記芝生模造葉片を複数本有する葉片束が複数具備され、各葉片束に、複数本の芝生模造葉片の一部を束ねて固定した根部が設けられ、前記基盤に、下方に没入した根部ポットが複数設けられ、根部ポットに、葉片束の根部が内嵌挿入されて、針部材により基盤に固定され、前記太陽光遮断シートは、開口孔を介して、根部ポットから上方突出した葉片束の中途部に外嵌されている点にある。
【０００６】
また、本発明の他の技術的手段は、前記太陽光遮断シート上に、砂土が設けられている点にある。
【発明の効果】
【０００７】
本発明によれば、緑化を兼ねると共に、手入れが不要で、かつ、人が踏み付けても影響のない人工芝生によって、太陽光の熱を有効に遮断すると共に、照り返しによる反射熱がこもるのを効果的に軽減させることができる。
【発明を実施するための最良の形態】
【０００８】
以下、本発明の実施の形態を、図面に基づき説明する。
図１〜図５は、本発明に係る人工芝生１の第１実施形態を示したもので、この人工芝生１は、基盤２に、多数の芝生模造葉片３が上方突出状に設けられている。芝生模造葉片３が複数束ねられて葉片束４が構成され、人工芝生１に葉片束４が複数具備されている。各葉片束４は、長手方向の中央部で２つ折りに折られて、各葉片束４に、複数本の芝生模造葉片３の長手方向中央部（一部）を束ねて固定した根部５が設けられている。
【０００９】
基盤２に、下方に没入した根部ポット６が複数設けられ、根部ポット６に葉片束４の根部５が内嵌挿入されて、根部５が針部材７により基盤２に固定されている。針部材７は、、２つの針先を有する二股状に形成されている。
基盤２は、柔軟又は硬質なプラスチックやゴム等により形成されている。基盤２の全体を平面視した形状や大きさは何ら限定されず、例えば縦横が数十センチ程度の正方形や長方形、円形その他としてもよいし、畳大としたり或いはシート状に広大なものとしたり長大なものとしたりすることもできる。
【００１０】
図例の基盤２では各根部ポット６が平面視正方形状の凸台８を介して縦横に整然と配置されたものを示してある。この凸台８は、根部ポット６を互いに所定間隔で整然配置させている役目と共に、基盤２の側断面形状に凹凸を伴わせることで所定の剛性を持たせる役目をも奏している。また各凸台８の上面には三角形状をした複数（４個）の開口９が設けられ、凸台８と凸台８との相互隣接間には長方形状をした貫通口１０が設けられているので、これらによって基盤２に透水性が確保されている。
根部ポット６は、凸台８とは反対に基盤２の下面側で有底のコップ状に突出する脚部１１により、この内部を上部開放の空洞にすることで形成されている。脚部１１の下端面は接地面とされており、そのコップ形状の高さ分で基盤２の下面に排水スペースを確保できるようになっている。脚部１１の下端面外周にはリブ１２が設けられており、根部ポット６の底部が上げ底として形成されている。すなわち、リブ１２の内側には上げ底スペース１３が形成されている。また根部ポット６の周壁部には、この根部ポット６の開口を跨った両側（対向位置）で深さ方向へ延びる２本一対のガイド溝１５が形成されている。これらガイド溝１５は、根部ポット６の開口側で開放されている。
【００１１】
根部ポット６内には葉片束４の根部５が押し込まれ、この根部５の上部中央を横切るようにして上記した二股状の針部材７が打ち込まれている。このとき針部材７は根部ポット６の開口部両側へ跨って、両側の針先を根部ポット６の底部へ貫通させるようになる。
根部ポット６に設けられたガイド溝１５は、このように針部材７を打ち込むに際し、両方の針先の打ち込み位置を特定するのに使用可能であり、また針部材７の打ち込み時に両針先を案内させるうえでも有益となっている。また、根部ポット６の底部下側に設けられた底スペース１３は、針部材７が根部ポット６の底部へ打ち込まれこの底部を貫通したときに、貫通した針先を折り曲げても、これが脚部１１としての接地を邪魔しないように収容するのに用いられる。
【００１２】
なお、針部材７にはコ字状をしたステープルを用いればよい。
葉片束４は、図４に示すようなロープ状の葉片束構成材２３により形成されている。この葉片束構成材２３は多数本の芝生模造葉片３を束ねて撚ったものである。図例では比較的少数本の芝生模造葉片３を一旦、細径の葉片束構成材２５として撚った後、この葉片束構成材２５を更に複数本（３本）撚り合わせることで太径の葉片束構成材２３とさせ、芝生模造葉片３の使用本数を増加させてある。芝生模造葉片３は柔軟性及び弾性（形状復元性）の豊富な樹脂により形成されたもので、断面扁平又は円形等として実物の芝の葉状程度の細さとされている。１本１本の芝生模造葉片３にコイル状の捻り癖をつけておいてもよい。
【００１３】
基盤２上に、太陽光を反射する太陽光遮断シート１７が設けられ、太陽光遮断シート１７は、開口孔１９を介して、根部ポット６から上方突出した葉片束４の中途部に外嵌され、芝生模造葉片３の上部側が、太陽光遮断シート１７の開口孔１９を介して太陽光遮断シート１７の上方に突出されている。太陽光遮断シート１７は、アルミ箔シート又はアルミ箔蒸着シートにより構成されている。太陽光遮断シート１７は、厚さが０．０１ｍｍ〜０．５ｍｍ程度であり、基盤２に接着剤等により接着され又は基盤２に接着することなく基盤２上に配置されている。なお、太陽光遮断シート１７をアルミ箔シートにより構成した場合、太陽光遮断シート１７は、空気を通し水分を通さないが、太陽光遮断シート１７をアルミ箔蒸着シートにより構成した場合は、太陽光遮断シート１７は、空気を通し水分も通すようになっている。
【００１４】
上記実施の形態によれば、基盤２の上面に配置された太陽光遮断シート１７により、太陽光を反射させることと、芝生模造葉片３群によりできる基盤２上面の日陰を利用して太陽光の直射日光を受けるのを避けることや、直射日光が当たったとしても、反射光は日陰を介して空気中に返す効果が得られる。また、しなやかな芝生模造葉片３群と日陰層が形成されることにより、日の当たっている部分と日陰層との間に温度差が生じて、空気の対流も発生し風の流れを助長するなど、より冷却効果が得られることや、基盤２下でも、脚部１１の構成ゆえ、風通りも良く、同様に冷却効果が得られる。また基盤２下が流水路となり水も容易に流すことができる。次に、芝生模造葉片３が束状に叢生していることにより、雨水や散水時には水は流れるが、芝生模造葉片３の根部５では芝生模造葉片３が集まって束ねられているので、毛細管現象により水の粒子が残る。この水の粒子は、日中の太陽熱で蒸発し気化熱（水が蒸発する際に熱を奪う）現象も得られ、打ち水をすれば、より効果が上がる。よって、本発明は、太陽光を遮断すると共に反射光は冷却されて空気中に返すことや気化熱現象による打ち水効果が得られることなどによって、建物内の室温低下ができ冷暖房消費の削減や太陽光の照り返しによる反射熱がこもるのを効果的に軽減させることができ、温暖化抑制に役立つ。
【００１５】
図６は、本発明に係る人工芝生１の第２実施形態として、基盤２の形状が異なるものを示している。この第２実施形態で使用している基盤２は平板状に形成され、この平板状の基盤２に有底円筒状の根部ポット６が縦横に没入形成されている。その他の点は前記第１実施形態の場合と同様の構成である。
図７は、本発明に係る人工芝生１の第３実施形態として、基盤２の形状が異なるものを示している。太陽光遮断シート１７上に砂土２５が設けられ、芝生模造葉片３の先端側が砂土２５から上方突出されている。その他の点は前記第１実施形態の場合と同様の構成である。
【００１６】
この第３実施形態の場合、太陽光（直射日光）を砂土２５及び芝生模造葉片３の先端側で反射すると共に、砂土２５を通過した太陽光を、前記実施の形態の場合と同様に太陽光遮断シート１７により確実に反射して上方に放出することができる。また、砂土２５は外気と建物の上面とを隔離し、直射日光を受けた土砂２５は、熱せられてある程度熱くなるが、基盤２は複数の脚部１１を介して建物の屋上等に設置されるため、基盤２の下部側に空気が流通するため、建物側にはほとんど熱は伝わらずに済み、熱せられた土砂２５の熱は、土砂２５上方の空気側に放出することができる。
【００１７】
なお、前記実施の形態では、基盤２に、下方に没入した根部ポット６が複数設けられ、根部ポット６に、葉片束４の根部５が内嵌挿入されて、針部材７により基盤２に固定されているが、これに代え、本願発明が適用される人工芝生１は、このような構成のものに限定されず、例えば、板状の基盤２に多数の芝生模造葉片３を上方突出するように植設したものでも良く、要するに、基盤２に、複数の芝生模造葉片３が上方突出状に設けられた人工芝生において、その基盤２上に、太陽光を反射する太陽光遮断シート１７を設けるようにしたものであればよい。
【図面の簡単な説明】
【００１８】
【図１】本発明の第１実施形態を示す側断面図である。
【図２】同斜視図である。
【図３】同基盤の平面図である。
【図４】同葉片束構成材を示す斜視図である。
【図５】同図１のＡ−Ａ線断面図である。
【図６】本発明の第２実施形態を示す側断面図である。
【図７】本発明の第３実施形態を示す側断面図である。
【符号の説明】
【００１９】
１      人工芝生
２      基盤
３      芝生模造葉片
４      葉片束
５      根部
６      根部ポット
７      針部材
１９      開口孔
【図１】
2006274674.tif 000003
【図２】
2006274674.tif 000004
【図３】
2006274674.tif 000005
【図４】
2006274674.tif 000006
【図５】
2006274674.tif 000007
【図６】
2006274674.tif 000008
【図７】
2006274674.tif 000009